(57)【特許請求の範囲】
【請求項１】
ハンドルの巻き取り操作に連動して左右に往復動されるスライダ本体と、前記スライダ本体に連結され、リール本体に回転可能に支持されたスプールに巻回される釣糸を案内する上向きに開口する釣糸案内部を有するラインガイドとを有する釣糸案内装置と、
前記ラインガイドの上側開口を解放する釣糸放出モードと、前記ラインガイドの上側開口の少なくとも一部を閉じる釣糸案内モードとの間を切り換え可能に移動できる移動部材と、
スプールからの釣糸放出を可能にするクラッチＯＦＦ状態とスプールに対する釣糸の巻き取りを可能にするクラッチＯＮ状態とに切り換え操作可能なクラッチ切換部材と、
を備え、
前記クラッチ切換部材の切換操作に連動して前記移動部材が前記釣糸案内モードと前記釣糸放出モードとの間で移動され、
前記クラッチＯＦＦ状態のときに、前記移動部材により前記ラインガイドの上側開口が解放される釣糸放出モードとなり、前記クラッチＯＮ状態のときに、前記移動部材により前記ラインガイドの上側開口の少なくとも一部が閉じられる釣糸案内モードとなって、前記移動部材がサムレストとして機能することを特徴とする魚釣用リール。
【発明の詳細な説明】
【技術分野】
【０００１】
本発明は、スプール前方の側板間に、スプールに釣糸を平行に巻回案内する釣糸案内装置（レベルワインド装置とも称する）を備えた魚釣用リールに関する。
【背景技術】
【０００２】
一般的に、上記したタイプの魚釣用リールは、ハンドルを巻き取り操作すると、スプールの前方に設置された釣糸案内装置のラインガイドが左右に往復動する。前記ラインガイドは、釣糸が挿通するように長孔又は丸孔に形成されているため、ハンドルの巻き取り操作に伴ってラインガイドが左右に往復動すると、釣糸は、ラインガイドを介して、回転するスプールに対して平行に巻回される。
【０００３】
ところで、釣糸放出操作時において、スプールから繰り出される釣糸は、スプールの左右方向に移動して上方に膨出しながらラインガイドを通して前方に放出されるため、ラインガイドとの間に発生する接触抵抗の影響を受けて飛距離が低下するという問題がある。
【０００４】
そこで、このような問題を解決するために、特許文献１には、ラインガイドを、上向きに開口する釣糸挿通部と、釣糸挿通部の上端にそれぞれ外側に向けて延設された水平状の釣糸案内部とで構成し、水平状の釣糸案内部の端部を、それぞれ側板に形成された弧状の嵌入穴に嵌合させた構成が開示されている。
【０００５】
このような構成のラインガイドによれば、釣糸挿通部の上方が開口しているため、釣糸放出時に、スプールの上方に膨出する釣糸との接触抵抗が軽減され、飛距離の低下を防止することが可能となる。
【特許文献１】特許第３４０３６１８号
【発明の開示】
【発明が解決しようとする課題】
【０００６】
特許文献１に開示されている魚釣用リールの釣糸案内装置によれば、上記構成により、釣糸放出操作時における釣糸の上方膨出に伴う接触抵抗に起因する飛距離低下を防止できるが、釣糸放出操作後に行なわれる魚の誘導操作、合わせ操作、巻き取り操作等、リール本体を把握保持して魚釣り操作を行なうに際し、スプール上方の側板間が大きく解放していることにより、リール本体を手で確実に保持することができず、合わせ操作や巻き取り操作を容易（円滑）に行なえない。また、常時、リール本体のスプール上方が大きく解放しているため、釣場の移動時や携帯時に、スプールに巻着されている釣糸がラインガイドの釣糸挿通部から外れ易く、また、外れた釣糸が釣糸案内装置の突出部やリール本体支持部等に絡み付き易い。更にまた、スプール上方の側板間が大きく解放していることに伴い、ラインガイド全体が常に外部に露出しているため、ラインガイドが外力によって損傷し易い。
【０００７】
本発明は、上記した問題に着目してなされたものであり、リール本体の把握保持性を低下させることなく、良好な釣糸放出操作を行なうことができるとともに、スプールに対する釣糸の巻回状態を安定に維持してラインガイドを外力から保護できる釣糸案内装置を備えた魚釣用リールを提供することを目的とする。
【課題を解決するための手段】
【０００８】
上記した目的を達成するために、本発明に係る魚釣用リールは、ハンドルの巻き取り操作に連動して左右に往復動されるスライダ本体と、前記スライダ本体に連結され、リール本体に回転可能に支持されたスプールに巻回される釣糸を案内する上向きに開口する釣糸案内部を有するラインガイドとを有する釣糸案内装置と、前記ラインガイドの上側開口を解放する釣糸放出モードと、前記ラインガイドの上側開口の少なくとも一部を閉じる釣糸案内モードとの間を切り換え可能に移動できる移動部材と、スプールからの釣糸放出を可能にするクラッチＯＦＦ状態とスプールに対する釣糸の巻き取りを可能にするクラッチＯＮ状態とに切り換え操作可能なクラッチ切換部材とを備え、前記クラッチ切換部材の切換操作に連動して前記移動部材が前記釣糸案内モードと前記釣糸放出モードとの間で移動され、前記クラッチＯＦＦ状態のときに、前記移動部材により前記ラインガイドの上側開口が解放される釣糸放出モードとなり、前記クラッチＯＮ状態のときに、前記移動部材により前記ラインガイドの上側開口の少なくとも一部が閉じられる釣糸案内モードとなって、前記移動部材がサムレストとして機能することを特徴とする。
【０００９】
上記した構成によれば、移動部材により、前記ラインガイドの上側開口を解放する釣糸放出モードと、前記ラインガイドの上側開口の少なくとも一部を閉じる釣糸案内モードとが切り換えられるため、釣糸放出時（釣糸放出モード）には、ラインガイドの上側開口の解放によりスプールの上方に膨出する釣糸との接触抵抗が軽減され、釣糸の飛距離の低下を防止することが可能になるとともに、釣糸巻き取り時などの操作時（釣糸案内モード）においては、ラインガイドの上側開口の少なくとも一部を閉じることで、この閉じられた部位においてリールの把握保持性を確保し、合わせ操作や巻き取り操作等を容易（円滑）に行なうことができる。また、ラインガイドの上側開口のこの閉塞性により、釣場の移動時や携帯時に、スプールに巻着されている釣糸がラインガイドの釣糸挿通部から外れることを防止できるとともに、スプールに対する釣糸の巻回状態を安定に維持してラインガイドを外力から保護できる。
【発明の効果】
【００１０】
本発明によれば、リール本体の把握保持性を低下させることなく、良好な釣糸放出操作を行なうことができるとともに、スプールに対する釣糸の巻回状態を安定に維持してラインガイドを外力から保護できる釣糸案内装置を備えた魚釣用リールが得られる。
【発明を実施するための最良の形態】
【００１１】
以下、図面を参照して、本発明に係る魚釣用リールの実施形態について具体的に説明する。  
図１から図７は、本発明に係る魚釣用リールの第１の実施形態を示す図であり、図１は、リール本体の平面図、図２は、釣糸案内装置のラインガイドの構成を示す平面図、図３は、リール本体の側面図であり、クラッチ機構及び釣糸案内装置の概略構成を示す図（クラッチＯＮ状態）、図４は、リール本体の正面図、図５は、クラッチＯＦＦ状態を示すリール本体の側面図、図６は、クラッチＯＦＦ状態を示すリール本体の正面図、そして、図７は、ラインガイドの揺動状態を示す平面図である。
【００１２】
図１に示すように、魚釣用リールのリール本体１は、釣糸が巻回されるスプール５を回転可能に支持した左右側板２Ａ，２Ｂを備えている。ここで、「側板」とは、スプール５の両端側に位置する構造体が該当し、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂによって定義される。このため、左右フレームと左右外側板との間の内部空間には、例えば、駆動力伝達機構、クラッチ機構、バックラッシュ防止機構等が設置されるようになっている。なお、フレームと外側板の形状については、適宜変形することが可能であり、それらを構成する材料については限定されることはない。また、外側板のフレームに対する装着方法や装着位置についても、リール本体の構成等により、様々な方法を用いることが可能である。
【００１３】
前記左右フレーム２ａ，２ｂは、複数の支柱を介して一体化されており、その下方側の支柱には、釣竿のリールシートに装着されるリール脚６が設けられている。また、左右フレーム２ａ，２ｂ間には、軸受を介してスプール軸５ａが回転可能に支持されており、このスプール軸５ａに前記スプール５が装着されている。なお、スプール軸５ａを回転可能に支持する軸受は、フレーム部分に配設されていても良いし、外側板部分に配設されていても良い。
【００１４】
前記スプール５は、リール本体１の右側板２Ｂ側に設置されたハンドル８を回転操作することによって回転される。ハンドル８は、右外側板３ｂから突出したハンドル軸８ａの端部に取り付けられており、右外側板との間に介在された逆転防止機構（転がり式一方向クラッチ）によって、釣糸巻取方向にのみ回転可能となっている。
【００１５】
右フレーム２ｂと右外側板３ｂとの間には、ハンドル８の回転運動をスプール軸５ａ、及び後述する釣糸案内装置２０の螺軸２１に伝達する駆動力伝達機構１０、駆動力の伝達を継脱するクラッチ機構５０、更には、魚釣時にスプール５から釣糸が繰り出された際、スプール５にドラグ力を付与するドラグ機構等が収容されている。
【００１６】
前記駆動力伝達機構１０は、公知のように、ハンドル軸８ａに回転可能に支持された駆動歯車１１と、この駆動歯車１１に噛合するピニオン１２とを備えている。前記ピニオン１２は、スプール軸５ａと同軸上に設置されており、ピニオン軸１２ａに沿って軸方向に移動可能となっている。また、ピニオン１２の外周には、円周溝が形成されており、この円周溝に、後述するクラッチ機構５０のヨーク５７が係合して、ピニオン１２を軸方向に移動させるようになっている。すなわち、ピニオン１２が軸方向に移動することで、スプール軸５ａとの間で継脱がなされ、動力伝達状態（クラッチＯＮ）／動力遮断状態（クラッチＯＦＦ）に切り換えられるようになっている。
【００１７】
前記スプール５の左右側板間には、釣糸案内装置２０が配置されている。この釣糸案内装置２０は、左右側板間に回転可能に支持され、前記駆動力伝達機構１０を介して回転可能に駆動される螺軸２１を備えている。前記ハンドル軸８ａには、駆動歯車１１と隣接して入力ギヤ１１ａが設けられており、この入力ギヤ１１ａに、前記螺軸２１の端部に設置された歯車２１ａが噛合されている。
【００１８】
前記釣糸案内装置２０は、スプール５の前方の左右側板間に設置されて、ハンドル８の巻き取り操作によって左右往復動されるスライダ本体２２を備えている。スライダ本体２２は、前記螺軸２１と平行となるように左右側板間に支持されたガイド軸２３に対して回り止め保持されている。
【００１９】
前記螺軸２１の外周面には、螺旋溝２１ｂが形成されており、螺軸２１は、左右側板間に設置された筒体２５内に収容されている。筒体２５には、軸方向に延出する長孔２５ａが形成されており、前記螺旋溝２１ｂを軸方向に沿って部分的に露出させている。また、前記スライダ本体２２は、筒体２５を囲繞するように配置、形成されており、その内部に、前記長孔２５ａを介して螺旋溝２１ｂと係合する摺動子２６を保持している。なお、摺動子２６は、袋ナット２６ａによってスライダ本体２２に対して固定される。
【００２０】
これにより、スライダ本体２２は、螺軸２１が入力ギヤ１１ａによって回転駆動されることで、螺旋溝２１ｂに係合する摺動子２６を介して、ガイド軸２３に沿って左右往復動される。
【００２１】
また、前記釣糸案内装置２０は、釣糸が案内されるラインガイド３２が設けられた揺動体３０を備えている。  
前記揺動体３０は、板状に構成されており、リール本体１のスプール５の下方側において、支持部３１を介して、その一端部が回動可能に支持されている。具体的には、図３に示すように、リール脚６の表面側で、好ましくは、スプール軸５ａよりも前方側となる位置で支持部３１を介して回動可能に支持されている。この場合、支持部３１は、揺動体３０をリール脚６に対して回動可能に固定する雄ネジ部材によって構成されている。
【００２２】
前記揺動体３０は、前方側に向けて略水平に延出する延出部３０ａと、延出部３０ａの先端で上方側に向けて屈曲形成された屈曲部３０ｂとを備えており、その屈曲部３０ｂの上端には、前記ラインガイド３２が設けられている。この場合、ラインガイド３２は、図に示すように、揺動体３０と一体形成されたものであっても良いし、別体として揺動体３０に一体化された構成であっても良い。
【００２３】
前記揺動体３０の屈曲部３０ｂの下面（ラインガイド３２の下面）には、下方に向けて突出する連結部３０ｃが形成されており、この連結部３０ｃは、前記スライダ本体２２に形成された長孔２２ａに係合されている。すなわち、揺動体３０とスライダ本体２２とは連結部３０ｃを介して連結された状態となっており、上記したように、スライダ本体２２が左右に往復動された際、揺動体３０は、支持部３１を回動中心として、その先端側（ラインガイド側）が円弧状に揺動されるようになっている。
【００２４】
前記ラインガイド３２は、フレーム構造となっており、図４に示すように、正面視した際、略Ｖ字状に形成されている。すなわち、ラインガイド３２は、上方が開口（上向きに開口）し、釣糸巻き取り時にスプール５に釣糸を案内する（釣糸が挿通される）釣糸案内部３２ａと、釣糸案内部３２ａからこれよりも幅広に拡開するように延びるとともに釣糸放出操作時に釣糸を解放するガイド部３２ｅ，３２ｆと、ガイド部３２ｅ，３２ｆの上方の両外側に延設され且つそれぞれの先端が左右側板２Ａ，２Ｂに対して移動可能に係合される係合部３２ｃ，３２ｄと、を有している。
【００２５】
前記釣糸案内部３２ａは、図３に示すように、側面視した際、後方側に傾斜するように立ち上げられており、更に、釣糸案内部３２ａの上端は、後方に向けて次第に広がるように傾斜したガイド部３２ｅ，３２ｆ（釣糸を釣糸案内部３２ａに誘導する機能を有する）となっている。そして、ガイド部３２ｅ，３２ｆの先端に、前記係合部３２ｃ，３２ｄが形成されている。つまり、ラインガイド３２（釣糸案内部３２ａおよびガイド部３２ｅ，３２ｆ）は、スライダ本体２２とラインガイド３２との連結部３０ｃからスプール５側の後方へ向けて傾斜した状態で延在している。
【００２６】
また、前記リール本体の左右側板（左右フレーム２ａ，２ｂ）の内側には、釣糸の放出方向に沿って延出し、ラインガイド３２の左右の係合部３２ｃ，３２ｄがそれぞれ係合する長溝２ｃ，２ｄが形成されている。この場合、揺動体３０が、支持部３１を回動中心として、上述したように円弧状に揺動されると、それぞれの長溝２ｃ，２ｄに係合される左右の係合部３２ｃ，３２ｄは、反対方向に移動するようになる。すなわち、左側の係合部３２ｃが、図７に示すように、後方側に移動すると、右側の係合部３２ｄは前方側に移動し、逆に、左側の係合部３２ｃが前方側に移動すると、右側の係合部３２ｄは後方側に移動して、ラインガイド３２の釣糸案内部３２ａおよびガイド部３２ｅ，３２ｆは左右に円弧状に揺動するようになっている。
【００２７】
上述したクラッチ機構５０は、右フレーム２ｂに沿って回動可能に支持されたクラッチ駆動部材５１と、このクラッチ駆動部材５１を駆動するクラッチ切換部材５３とを備えている。
【００２８】
本実施形態のクラッチ切換部材５３は、クラッチ機構５０をＯＮ状態からＯＦＦ状態に切換操作すべく、スプール５の後方側で、左右側板２Ａ，２Ｂ間を横架するように配置されている。また、クラッチ切換部材５３には、後述するようにラインガイド３２の上側開口を解放する釣糸放出モードと、ラインガイド３２の上側開口の少なくとも一部を閉じる釣糸案内モードとの間を切り換え可能に移動できる移動部材５４が一体的に連結されている。なお、この移動部材５４は、左右側板２Ａ，２Ｂ上に配置されており、後述するように、クラッチ機構５０をＯＦＦ状態からＯＮ状態に切換操作するための操作部材としても機能する。そのため、以下では、適宜、一体を成す移動部材５４とクラッチ切換部材５３とを合わせて切換操作部材５２とも称する。
【００２９】
前記切換操作部材５２は、リール本体１（左右側板２Ａ，２Ｂ）に対して回動可能に支持されており、スプール後方側に配置されたクラッチ切換部材５３を押圧操作（クラッチＯＦＦ操作）すると、移動部材５４が回動して、前記ラインガイド３２の上方側を開放し（釣糸放出モードにし）（図５参照）、図５の状態で入り移動部材５４を押下げ操作（クラッチＯＮ操作）することで、クラッチ切換部材５３が上昇して、図３に示す状態に戻る（釣糸案内モードになる）ようになっている。
【００３０】
具体的に、前記切換操作部材５２を構成する移動部材５４は、図１に示すように、スプール５を露出させて、その両サイドが左右両側板２Ａ，２Ｂの上面を覆うと共に、その前方が左右両側板を横架するような形状を有している。すなわち、移動部材５４は、ＯＦＦ状態にあるクラッチ機構５０をＯＮ状態に切り換え操作するものであり、釣竿と共にリール本体１を握持、保持している側の手の指で簡単に切換操作が行え、或いは、それとは反対側の手をリール本体１に添えるような簡単な動作で切換操作が行えるよう、リール本体の左右側板２Ａ，２Ｂの上面側の広い範囲を覆って開閉可能に構成されている。
【００３１】
上記した構成により、釣糸案内装置２０のラインガイド３２は、上面から見た際（図１参照）、少なくともガイド部３２ｅ，３２ｆと、釣糸案内部３２ａの一部が、移動部材５４によって覆われた状態となっている。
【００３２】
前記クラッチ駆動部材５１は、公知のように、右フレーム２ｂに対して回動可能に支持され、振り分けバネ５６によって、図３に示す動力伝達状態（クラッチＯＮ状態）と、図５に示す動力遮断状態（クラッチＯＦＦ状態）に振り分け保持されるようになっている。また、クラッチ駆動部材５１の表面には、前記ピニオン１２の円周溝に嵌合したヨーク５７と係合可能な一対のカム面５８が形成されている。
【００３３】
前記ヨーク５７の先端側は、右フレーム２ｂに突設された支持ピン５９によって保持されており、ヨーク５７は、各支持ピンに配設されたバネ部材（図示せず）によって常時、クラッチ駆動部材５１側に付勢された状態となっている。なお、図３は、ヨーク５７がバネ部材によってクラッチ駆動部材５１側に付勢された状態を示しており、このとき、ピニオン１２はスプール軸の端部に形成されている係合部に嵌合してクラッチＯＮ状態となっている。
【００３４】
前記クラッチ駆動部材５１の端部は、前記クラッチ切換部材５３と連結されており、図３の矢印に示すように、クラッチ切換部材５３が押下げ操作されると、クラッチ駆動部材５１は反時計回り方向に回動され、前記ヨーク５７を介して、ピニオン１２を、スプール軸の端部に形成されている係合部から離脱させる（クラッチＯＦＦ状態に切り換える）。また、この状態は、前記振り分けバネ５６によって保持されると共に、移動部材５４は、上記したように回動し、図５及び図６に示すように、前記ラインガイド３２の釣糸案内部３２ａの上方側は開放される。
【００３５】
そして、移動部材５４を押下げ操作することで、上記した逆の手順で、クラッチ駆動部材５１は、時計回り方向に回動され、クラッチＯＮ状態に復帰される。
なお、上記のように構成されたクラッチ機構５０には、クラッチＯＦＦ状態において、ハンドル８を巻き取り操作した際、自動的にクラッチ駆動部材５１をクラッチＯＮ状態の位置に復帰させる公知のクラッチ自動復帰機構６０が設けられている。
【００３６】
次に、上述したように構成される魚釣用リールの作用、及び効果について説明する。
【００３７】
図１から図４に示すクラッチＯＮ状態（釣糸案内モード）において、スプール５の後方側に位置する切換操作部材５２のクラッチ切換部材５３を押圧操作すると、クラッチ駆動部材５１は、反時計回りに回動され、振り分けバネ５６によって、図５に示す状態に保持される。このとき、クラッチ駆動部材５１の表面に形成されたカム面がヨーク５７を軸方向にシフトさせ、ピニオン１２をスプール軸から離脱させる（クラッチＯＦＦ状態）。また、クラッチ切換部材５３の押圧操作により、上記した切換操作部材５２の移動部材５４の前方側は、左右側板２Ａ，２Ｂから上昇するように回動され、ラインガイド３２の釣糸案内部３２ａの上方側は開放（解放）される。すなわち、釣糸放出モードとなる。
【００３８】
この状態で、スプール５はフリー回転可能状態となっており、キャスティング操作等により、釣糸は放出される。この場合、釣糸は、図５の点線ＳからＳ´に示すように、上方に向けて膨出する傾向となるが、上記したように、釣糸案内部３２ａの上方側は開放された状態となっているため、他物から接触抵抗を受けることが少なくなり、仕掛けの飛距離を低下させるようなことはない。
【００３９】
なお、前記移動部材５４の裏面に、耐摩耗性を有すると共に、摺動抵抗の少ない部材（釣糸接触部材）５４Ａを取着しておくことが好ましい。このような釣糸接触部材５４Ａを取着しておくことで、釣糸放出時や釣糸巻き取り時に釣糸が接触しても、切れることを防止でき、かつ接触抵抗を更に軽減することが可能となる。
【００４０】
そして、釣竿と共にリール本体を握持、保持している手の指（主にサミング操作している親指）を、多少、前方、或いはサイドにずらして移動部材５４を下方に押圧する（これにより、ラインガイド３２の上側開口の少なくとも一部が閉じられる・・・図１参照）ことで、クラッチ駆動部材５１は、図５に示す状態から時計回りに回動され、振り分けバネ５６によってクラッチＯＮ状態（釣糸案内モード）に復帰される。なお、クラッチＯＮ状態への復帰は、ハンドル８を巻き取り操作することで、前記クラッチ自動復帰機構６０によって行うことも可能である。
【００４１】
その後、ハンドル８を巻き取り操作することで、釣糸案内装置２０のラインガイド３２によって、釣糸はスプール５に対して平行に巻回される。
この場合、ハンドル８を巻き取り操作することで、上記した釣糸案内装置２０の螺軸２１は、ハンドル軸８ａに設けられた入力ギヤ１１ａ、及びこれに噛合する歯車２１ａを介して回転駆動される。
【００４２】
前記螺軸２１が回転駆動されることで、スライダ本体２２は、螺軸２１の外周面に形成された螺旋溝２１ｂと係合する摺動子２６を介して、ガイド軸２３に沿って左右往復動される。また、これに伴い、ラインガイド３２が設けられた揺動体３０は、スライダ本体２２が左右往復動されることで、スライダ本体２２に形成された長孔２２ａ及びそれに係合する連結部３０ｃを介して、リール本体１のスプール５の下方側に支持された支持部３１を中心として、その前方側が円弧状に揺動される。
【００４３】
このとき、上方が開口した釣糸案内部３２ａの上方の両外側に延設されたラインガイド３２の係合部３２ｃ，３２ｄは、左右フレーム２ａ，２ｂに形成された長溝２ｃ，２ｄ内で、互いに反対方向に移動するようになる。すなわち、ラインガイド３２の釣糸案内部３２ａが左右に円弧状に揺動した際、係合部３２ｃ，３２ｄは、前後方向で互いに反対方向に移動できるように支持されているため、釣糸案内部３２ａを安定して、左右に円弧状に揺動させることが可能となる。
【００４４】
この結果、釣糸Ｓは、ラインガイド３２のガイド部３２ｅ，３２ｆから釣糸案内部３２ａへと誘導されて釣糸案内部３２ａに入り込み、スプール５に対して平行に巻回される。なお、釣糸がスプール５に対して多少ふけても、釣糸は、後方に向けて次第に広がるように傾斜したガイド部３２ｅ，３２ｆによって釣糸案内部３２ａに向けて案内される。
【００４５】
以上のように構成された釣糸案内装置２０によれば、移動部材５４により、ラインガイド３２の上側開口を解放する釣糸放出モード（図５および図６の状態）と、ラインガイド３２の上側開口の少なくとも一部を閉じる釣糸案内モード（図１および図３の状態）とが切り換えられるため、釣糸放出時（釣糸放出モード）には、ラインガイド３２の上側開口の解放によりスプール５の上方に膨出する釣糸Ｓ’との接触抵抗が軽減され、釣糸の飛距離の低下を防止することが可能になるとともに、釣糸巻き取り時などの操作時（釣糸案内モード）においては、ラインガイド３２の上側開口の少なくとも一部を閉じることで、この閉じられた部位においてリールの把握保持性を確保し、合わせ操作や巻き取り操作等を容易（円滑）に行なうことができる。また、ラインガイド３２の上側開口のこの閉塞性により、釣場の移動時や携帯時に、スプール５に巻着されている釣糸がラインガイド３２の釣糸挿通部から外れることを防止できるとともに、スプール５に対する釣糸の巻回状態を安定に維持してラインガイド３２を外力から保護できる。
また、上記構成では、ラインガイド３２を構成する釣糸案内部３２ａおよび釣糸解放部としてのガイド部３２ｅ，３２ｆが、スライダ本体２２とラインガイド３２との連結部３０ｃからスプール５側の後方へ向けて傾斜した状態で延在しているため、リール本体１の上下方向を小型化してロープロファイル化を効果的に図ることができ、したがって、把握保持性および携帯性に優れる。また、釣糸案内部３２ａからこれよりも幅広に拡開するように延びるとともに釣糸放出操作時に釣糸を解放するガイド部３２ｅ，３２ｆを有しているため、釣糸放出性能にも優れる。
【００４６】
また、本実施形態の釣糸案内装置２０によれば、左右側板間で往復動されるスライダ本体２２と釣糸を案内するラインガイド３２が、スプール５の前方側に配置されているため、スプール後方の側板間を、クラッチ切換部材５３の設置領域にする等、クラッチ切換操作及びサミングゾーンとして有効活用することが可能となり、釣糸を放出する際の操作性を向上することが可能となる。また、スプール５の前後に、ラインガイド３２とスライダ本体２２を振り分ける構成でないため、リール本体１の小型化が図れるようになる。
【００４７】
この場合、揺動体３０の回動基端部となる支持部３１を、スプール軸５ａよりも前方側に設置しておくことで、リール本体１の上下方向を、より小型化することが可能となる。
また、上記した構成では、ラインガイド３２の釣糸案内部３２ａの上方側は、開口を有している（囲まれた形状になっていない）ため、釣糸放出時に接触抵抗が軽減され、仕掛けの飛距離を低下させることもない。特に、本実施形態では、釣糸案内部３２ａの上方側は、サムレストとして機能する部分（移動部材５４）が、クラッチＯＦＦ時において回動し、釣糸案内部３２ａの上方側を広く開放するため、釣糸が接触する可能性がより低くなり、仕掛けの飛距離の低下をより効果的に防止することが可能となる。
【００４８】
また、本実施形態では、ラインガイド３２の係合部３２ｃ，３２ｄが、左右フレーム２ａ，２ｂに形成された長溝２ｃ，２ｄ内で、互いに反対方向に移動するように支持されているため、釣糸案内部３２ａを安定して左右に円弧状に揺動させることができ、更には、このような係合方法により、左右側板２Ａ，２Ｂの厚さを、極力、薄肉厚化してリール本体１を小型化することが可能となる。
【００４９】
また、本実施形態において、揺動体３０は、スライダ本体２２に形成された長孔２２ａに係合されているため、スライダ本体２２の左右往復動に伴うラインガイド３２および揺動体３０の弧状往復動を円滑に行なうことができる。
【００５０】
図８〜図１０は、本発明の第２の実施形態を示している。  
上記した実施形態では、釣糸放出時にラインガイド３２の釣糸案内部３２ａの上方が開放されるように、クラッチ機構の移動部材５４を回動可能に支持しているが、この第２の実施形態では、移動部材５４が前後にスライド移動できるようになっており、このスライド移動により、釣糸放出モードと釣糸案内モードとを切り換えられるようになっている。具体的には、本実施形態において、移動部材５４は、その両側縁部の係合突起１１０，１１２（図１０参照）が、左右側板２Ａ，２Ｂにその長手方向に沿って形成された案内溝１００，１０２に移動可能に係合されており、図８（図１０の実線）に示される釣糸案内モード位置（ラインガイド３２の上側開口の少なくとも一部を閉じる）と、図９（図１０の二点鎖線）に示される釣糸放出モード位置（ラインガイドの上側開口を解放する）との間で前後にスライドできるようになっている。この実施形態では、移動部材５４がクラッチ切換部材５３と別体であり、第１の実施形態のようにクラッチ切換部材５３の切換操作に連動しないため、ユーザがリールを把握する手の指（特に親指）で移動部材５４を移動操作することになる。
【００５１】
以上、本発明の実施形態について説明したが、本発明は、上記した実施形態に限定されることはなく、種々変形することが可能である。例えば、揺動体３０の形状や、スライダ本体２２との係合方法については適宜変形することが可能である。
【図面の簡単な説明】
【００５２】
【図１】本発明に係る魚釣用リールの第１の実施形態を示す平面図。
【図２】釣糸案内装置のラインガイドの構成を示す平面図。
【図３】リール本体の側面図であり、クラッチ機構及び釣糸案内装置の概略構成を示す図（クラッチＯＮ状態）。
【図４】リール本体の正面図。
【図５】クラッチＯＦＦ状態を示すリール本体の側面図。
【図６】クラッチＯＦＦ状態を示すリール本体の正面図。
【図７】ラインガイドの揺動状態を示す平面図。
【図８】本発明に係る魚釣用リールの第２の実施形態の釣糸案内モードを示す平面図。
【図９】本発明に係る魚釣用リールの第２の実施形態の釣糸放出モードを示す平面図。
【図１０】本発明に係る魚釣用リールの第２の実施形態の側面図。
【符号の説明】
【００５３】
１  リール本体
２Ａ，２Ｂ  左右側板
２ａ，２ｂ  左右フレーム
３ａ，３ｂ  左右外側板
５  スプール
８  ハンドル
１０  駆動力伝達機構
２０  釣糸案内装置
２２  スライダ本体
３０  揺動体
３０ｃ  連結部
３２  ラインガイド
３２ａ  釣糸案内部
３２ｅ，３２ｆ  ガイド部
５０  クラッチ機構
５２  切換操作部材
５３  クラッチ切換部材
５４  移動部材
【図１】
0005047879.tif 000002
【図２】
0005047879.tif 000003
【図３】
0005047879.tif 000004
【図４】
0005047879.tif 000005
【図５】
0005047879.tif 000006
【図６】
0005047879.tif 000007
【図７】
0005047879.tif 000008
【図８】
0005047879.tif 000009
【図９】
0005047879.tif 000010
【図１０】
0005047879.tif 000011